(57)【要約】【課題】曲検索をしてからリクエスト曲を決定する場合に、先の検索でピックアップした曲に関連する曲を優先的に、且つ、簡単に検索できて、ユーザの曲検索の手助けができるカラオケ用リモコン装置を実現する。【解決手段】リクエスト曲の検索により該当曲を検索し、決定した曲をカラオケ装置にリクエストするカラオケ用リモコン装置であって、歌手名などの曲の属性情報を記憶する曲情報データベースを備え、入力された検索カテゴリと検索キーワードに基づいて、該当する曲を検索し、その後、検索カテゴリの再選択入力を受け付けると、前の検索で選択された曲の属性情報を検索キーワードとして検索を行う。【選択図】  図１
2004177637.tif 000002
【特許請求の範囲】
【請求項１】
カラオケ装置に用いられるカラオケ用リモコン装置の制御プログラムであって、
曲名検索，歌手名検索などの検索カテゴリの選択を受け付けるステップと、
検索カテゴリの受け付けにより該検索カテゴリの検索画面を表示するステップと、
検索キーワードの入力を受け付けるステップと、
前記検索カテゴリと検索キーワードに基づいて曲情報データベースから該当する曲の検索を行うステップと、
前記検索の結果を表示するステップと、
前記検索結果から曲の選択を受け付けるステップと、
選択された曲の詳細情報を表示するステップと、
前記選択された曲の曲名や歌手名等の属性情報を記憶するステップと、
前記記憶した曲の属性情報を前記検索キーワードとして設定するステップとを備え、
先に選択した曲の属性情報を検索キーワードとして検索することで、先に選択した曲に関連する曲の検索が可能なカラオケ用リモコン装置の制御プログラム。
【請求項２】
カラオケ装置に用いられるカラオケ用リモコン装置であって、
曲名検索，歌手名検索などの検索カテゴリの選択を行う検索カテゴリ選択入力部と、
検索キーワードの入力を行う検索キーワード入力部と、
曲名，歌手名などの曲の属性情報を記憶する曲情報データベースと、
入力された検索カテゴリと検索キーワードに基づいて、前記曲情報データベースから該当する曲を検索する検索処理部と、
前記検索結果を表示する検索結果表示部と、
前記検索結果から曲が選択されると、該選択された曲の詳細情報を表示する詳細情報表示部と、
前記選択された曲の曲名や歌手名等の属性情報を記憶する属性情報記憶部と、
前記記憶した曲の属性情報を前記検索キーワードとして設定する検索キーワード設定部とを備え、
先に選択した曲の属性情報を検索キーワードとして検索することで、先に選択した曲に関連する曲の検索が可能なカラオケ用リモコン装置。
【請求項３】
カラオケ装置に用いられるカラオケ用リモコン装置の制御方法であって、
曲名検索，歌手名検索などの検索カテゴリの選択を受け付ける手順と、
検索カテゴリの受け付けにより該検索カテゴリの検索画面を表示する手順と、
検索キーワードの入力を受け付ける手順と、
前記検索カテゴリと検索キーワードに基づいて曲情報データベースから該当する曲の検索を行う手順と、
前記検索の結果を表示する手順と、
前記検索結果から曲の選択を受け付ける手順と、
選択された曲の詳細情報を表示する手順と、
前記選択された曲の曲名や歌手名等の属性情報を記憶する手順と、
前記記憶した曲の属性情報を前記検索キーワードとして設定する手順とを備え、
先に選択した曲の属性情報を検索キーワードとして検索することで、先に選択した曲に関連する曲の検索が可能なカラオケ用リモコン装置の制御方法。
【発明の詳細な説明】
【０００１】
【発明の属する技術分野】
この発明は、カラオケ用リモコン装置の制御プログラム、カラオケ用リモコン装置及びカラオケ用リモコン装置の制御方法に関する。
【０００２】
【従来の技術】
カラオケ装置に曲のリクエスト予約（演奏要求）を入力するためのカラオケ用リモコン装置があるが、従来のものは、曲番号の送信機能を持っているのみで、リクエスト予約に必要な曲番号は、ユーザが歌本をめくって希望する曲番号を見つけて、リモコン装置に入力していた。
【０００３】
そこで、本願出願人は、リクエスト曲の検索機能を備え、検索した曲をリモコン装置でリクエスト予約できるカラオケ用リモコン装置を開発した。このようなカラオケ用リモコン装置によれば、ユーザは歌本をめくらなくても、歌いたい曲を見つけてリクエストを行うことができるようになる。ユーザは歌いたい曲を見つけるために、カラオケ用リモコン装置に検索のカテゴリ（曲名検索，歌手名検索，ジャンル検索、新譜検索、発売年検索など）を入力し、更に、検索用のキーワード（曲名，歌手名，ジャンル，新譜発売月，発売年検索など）を入力すると、指定した検索カテゴリと検索キーワードで検索が実行され、検索結果として検索条件に合致した曲がリスト表示される。そして、ユーザはカラオケ用リモコン装置に表示された検索結果より所望の曲を選択して、その曲をカラオケ装置にリクエスト予約することができる。
【０００４】
【発明が解決しようとする課題】
検索しても所望の曲が見つからなかった場合は、検索キーワードや検索カテゴリを変更して検索を行うことができる。別のカテゴリで検索する場合は、最初に戻って検索することになる。
【０００５】
お店でカラオケを歌う場合、歌う曲全てをあらかじめ考えて来店する人は少なく、店内で歌本を適当にめくって目についた曲や他の人が歌った曲を参考に自分が歌う曲を考えるものであるが、普段あまり歌を歌う機会の少ない人にとって、歌う曲を決める作業は結構時間が掛かるものである。
【０００６】
歌えそうな歌があったとしても、曲名や歌手名の記憶があやふやだと、その曲を見つけるのも一苦労であるし、たとえ上手く曲を見つけられたとしても、その曲を歌う自身がなかったり、前に歌う人とあまりにジャンルが違う歌だと、場の雰囲気を壊してしまうんじゃないかという心配もあったりして、もっと適当な歌（ちゃんと歌える曲，場の雰囲気に合った曲など）を探そうと、他の曲の検索をしたりと、結局、何度も検索をして候補の曲を何曲か見つけてからやっとリクエストする曲を決めているのが現状である。
【０００７】
ここで、このようにして見つけた複数の曲の間には、何らかの関連性がある場合が多い。例えば、歌手が同じであったり、ジャンルが同じであったり、発売年代が同じであったりである。
【０００８】
したがって、曲検索をしてからリクエスト曲を決定するような場合には、先の検索でピックアップした曲に関連する曲を優先的に、且つ、簡単に検索できると便利である。
【０００９】
本発明は、このような事情に鑑みなされたものであり、曲検索をしてからリクエスト曲を決定するような場合には、先の検索でピックアップした曲に関連する曲を優先的に、且つ、簡単に検索できて、ユーザの曲検索の手助けができるカラオケ用リモコン装置の制御プログラム、カラオケ用リモコン装置及びカラオケ用リモコン装置の制御方法を提供することを目的とする。
【００１０】
【課題を解決するための手段】
この発明は、上記目的を達成するため、カラオケ装置に用いられるカラオケ用リモコン装置の制御プログラムであって、曲名検索，歌手名検索などの検索カテゴリの選択を受け付けるステップと、検索カテゴリの受け付けにより該検索カテゴリの検索画面を表示するステップと、検索キーワードの入力を受け付けるステップと、前記検索カテゴリと検索キーワードに基づいて曲情報データベースから該当する曲の検索を行うステップと、前記検索の結果を表示するステップと、前記検索結果から曲の選択を受け付けるステップと、選択された曲の詳細情報を表示するステップと、前記選択された曲の曲名や歌手名等の属性情報を記憶するステップと、前記記憶した曲の属性情報を前記検索キーワードとして設定するステップとを備え、先に選択した曲の属性情報を検索キーワードとして検索することで、先に選択した曲に関連する曲の検索が可能なカラオケ用リモコン装置の制御プログラムである。
【００１１】
また、この発明は、上記目的を達成するため、カラオケ装置に用いられるカラオケ用リモコン装置であって、曲名検索，歌手名検索などの検索カテゴリの選択を行う検索カテゴリ選択入力部と、検索キーワードの入力を行う検索キーワード入力部と、曲名，歌手名などの曲の属性情報を記憶する曲情報データベースと、入力された検索カテゴリと検索キーワードに基づいて、前記曲情報データベースから該当する曲を検索する検索処理部と、前記検索結果を表示する検索結果表示部と、前記検索結果から曲が選択されると、該選択された曲の詳細情報を表示する詳細情報表示部と、前記選択された曲の曲名や歌手名等の属性情報を記憶する属性情報記憶部と、前記記憶した曲の属性情報を前記検索キーワードとして設定する検索キーワード設定部とを備え、先に選択した曲の属性情報を検索キーワードとして検索することで、先に選択した曲に関連する曲の検索が可能なカラオケ用リモコン装置である。
【００１２】
また、この発明は、上記目的を達成するため、カラオケ装置に用いられるカラオケ用リモコン装置の制御方法であって、曲名検索，歌手名検索などの検索カテゴリの選択を受け付ける手順と、検索カテゴリの受け付けにより該検索カテゴリの検索画面を表示する手順と、検索キーワードの入力を受け付ける手順と、前記検索カテゴリと検索キーワードに基づいて曲情報データベースから該当する曲の検索を行う手順と、前記検索の結果を表示する手順と、前記検索結果から曲の選択を受け付ける手順と、選択された曲の詳細情報を表示する手順と、前記選択された曲の曲名や歌手名等の属性情報を記憶する手順と、前記記憶した曲の属性情報を前記検索キーワードとして設定する手順とを備え、先に選択した曲の属性情報を検索キーワードとして検索することで、先に選択した曲に関連する曲の検索が可能なカラオケ用リモコン装置の制御方法である。
【００１３】
【発明の実施の形態】
以下、この発明の実施の形態を図に基づいて説明する。
【００１４】
図１はこの発明の実施形態であるカラオケ用リモコン装置１００の外観図である。該リモコン装置１００の上面には各種操作用の操作ボタンが設けられており、「曲名」ボタン１１，「歌手／ジャンル」ボタン１２，「新譜／発売年」ボタン１３は、それぞれが検索カテゴリを指示する検索ボタンであり、「曲名」ボタンは検索カテゴリ：曲名での検索、「歌手名／ジャンル」ボタンは１回押下すれば検索カテゴリ：歌手名による検索，２回押下すれば検索カテゴリ：ジャンルによる検索、「新譜／発売年」ボタンは１回押下すれば検索カテゴリ：新譜による検索、２回押下すれば検索カテゴリ：発売年による検索を行うことができる。
【００１５】
また、「リモコン」ボタン１４は表示部２２にソフトウエアボタンを表示するための操作ボタン、１５は曲名や歌手名などの検索キーワードを入力するための平仮名，アルファベットなどの文字入力ボタン、１６は「決定」ボタン、１７はカーソル移動ボタン、１８は「戻る」ボタン、１９は電源の「ＯＮ／ＯＦＦ」ボタンである。
【００１６】
図２は、カラオケ用リモコン装置１００のブロック構成図である。図中、２１は前記各操作ボタンのボタン押下を検出するＫｅｙＩ／Ｆ部、２２は検索結果を表示するＬＣＤ等の表示部であり、該表示部２２上にはタッチ入力パネルが敷設されている。このようにカラオケ用リモコン装置は、検索条件を入力するための複数の入力ボタンと、検索条件や検索結果を表示するための比較的大きな表示画面の表示部を備える必要があるが、そのためにカラオケ用リモコン装置が大型化しないように、使用頻度の比較的低いボタンは、ソフトウエアボタンとして必要なときに表示部２２に表示して、タッチ入力表示部から入力可能に構成してリモコン装置の小型化を図っている。
【００１７】
２３は検索処理やリモコン処理などの本発明のカラオケ用リモコン装置１００の制御プログラムを記憶すると共に検索用の曲情報データベース２３１（曲名、歌手名、ジャンル、新譜、発売年、唄い出し（歌詞）等の曲の属性情報）を記憶する記憶部、２４は前記記憶部のプログラムに基づいて各種処理・制御を実行する処理部、２５は電源部、２６はカラオケ装置１に曲のリクエスト予約を行ったり、カラオケ装置１の音量やピッチをリモートコントロールするリモコン制御信号を送信するリモコン送信部、２７は前記「決定」ボタン３０の指示により選択された曲の属性情報（曲名，歌手名，ジャンル，新譜，発売年，唄い出し（歌詞）など）を一時保存するための属性情報記憶部である。
【００１８】
次に、カラオケ用リモコン装置１００を利用して曲検索を行い、カラオケ装置１にリクエスト曲をリモコン予約処理する流れを、図３のフローチャートおよび図４乃至図７の表示画面例を用いて説明する。
【００１９】
ユーザが歌う曲を選ぶためカラオケ用リモコン装置１００の検索ボタンを押下すると（ステップ１、以下、ステップをＳと略記する、図面においても同じ）、ＫｅｙＩ／Ｆ部２１はその検索ボタンの検索カテゴリを認識し（Ｓ２）、「曲名」検索ボタン１１が押下されていた場合は、曲名検索処理に移行する。
【００２０】
次に属性情報記憶部２７に曲の属性情報が記憶されているか否かが検出されて（Ｓ３）、属性情報が記憶されていない場合は、表示部２２に図４Ｂの曲名検索画面が表示される（Ｓ４）。曲名検索画面（図４Ｂ）の曲名［    ］欄は、曲名検索での検索キーワードを入力する入力欄であり、ここに文字入力ボタン１５を用いて平仮名入力「あぁ」が入力されると（Ｓ５）、上記ＫｅｙＩ／Ｆ部２１は入力されたボタンを認識して（Ｓ６）、認識された入力文字「あぁ」について記憶部２３の曲情報データベース２３１を前方一致検索する（Ｓ７）。検索結果は、表示部２２に１曲１行で表示される（Ｓ８）（図４Ｃ参照）。
【００２１】
そして、ユーザは検索結果表示画面（図４Ｃ）において、カーソル移動ボタン１７を操作することで、カーソルｃを所望の曲名の位置（「あぁ」）に移動することができる（Ｓ１２，１３，１４）。
【００２２】
カーソルｃが所望の位置に移動された後、「決定」ボタン１６が押下されると（Ｓ１５，１６）、曲名「あぁ」の詳細情報が表示される（図４Ｄ参照）（Ｓ１７）。この詳細表示画面には、曲名「あぁ」の曲番、タイトル、歌手名、唄い出し情報等の曲名「あぁ」の属性情報が表示される。そして、前記詳細情報画面が表示された曲の属性情報（曲名「あぁ」，歌手名「大黒魔希」，ジャンル「ニューミュージック」，発売年「１９９６年」，唄い出し「やっぱり  ・・・」など）は、前記属性情報記憶部２７に一時記憶される（Ｓ１８）。
【００２３】
そして、図４Ｃの詳細情報画面が表示された状態で、ユーザがこの曲のリクエスト予約を希望する場合には、「決定」ボタンを再度押下すればよい。これにより曲番情報（リモコン制御信号）が、カラオケ用リモコン装置１００からカラオケ装置１へ送信されて（Ｓ１９、Ｓ２０、Ｓ２１）、リクエスト予約が完了する。
【００２４】
上述したように、一旦、「決定」ボタンを押下して、詳細情報を表示させて曲は、その属性情報が属性情報記憶部２７に一時記憶される。この一時記憶した属性情報は、その後の検索の際に、関連した曲の検索を行うために利用される。
【００２５】
次に、この属性情報記憶部２７に記憶した曲の属性情報を利用した関連曲の検索処理について説明する。
【００２６】
上記Ｓ３において、属性情報が「有」と判定されると、検索キーワードとして、検索カテゴリ「曲名」に対応する属性情報、ここでは曲名「あぁ」が属性情報記憶部２７から読み出され、検索キーワードとして設定される（Ｓ９）。そして、検索カテゴリ「曲名」について検索キーワード「あぁ」について、前方一致検索を実行して（Ｓ１０）、検索結果を表示する（Ｓ１１）。
【００２７】
他の検索カテゴリの検索ボタンが押下された場合も、同様に検索が実行される。即ち、曲名「あぁ」の詳細情報が表示された後に、検索ボタンが押下されると（Ｓ２０）、その検索カテゴリが認識され（Ｓ２）、それぞれの検索処理が実行されることになる。
【００２８】
例えば、図５Ａの曲名「あぁ」の詳細情報が表示された後（曲名「あぁ」の属性情報が一時記憶された後）に、検索ボタン「歌手／ジャンル」が１回押下されると「歌手」検索処理が実行される（Ｓ２）。即ち、属性情報から検索カテゴリ「歌手」に対応した属性情報、歌手名「大黒魔希」が抽出されて検索キーワードとして設定されて、検索カテゴリ「歌手」且つ検索キーワード「大黒魔希」について、前方一致検索が実行されて、検索結果（先に選曲した曲「あぁ」の歌手と同じ歌手「大黒魔希」の曲）が表示される（図５Ｂ）。
【００２９】
また、図６Ａの曲名「あぁ」の詳細情報が表示された後に、検索ボタン「歌手／ジャンル」ボタンが２回押下されると「ジャンル」検索処理が実行される（Ｓ２）。即ち、属性情報から検索カテゴリ「ジャンル」に対応した属性情報、ジャンル「ニューミュージック」が抽出されて検索キーワードとして設定されて、検索カテゴリ「ジャンル」且つ検索キーワード「ニューミュージック」について、前方一致検索が実行されて、検索結果（先に選曲した曲「あぁ」のジャンルと同じジャンル「ニューミュージック」の曲）が表示される（図６Ｂ）。
【００３０】
また、図７Ａの曲名「あぁ」の詳細情報が表示された後に、検索ボタン「新譜／発売年」ボタンが２回押下されると「発売年」検索処理が実行される（Ｓ２）。即ち、属性情報から検索カテゴリ「発売年」に対応した属性情報、発売年「１９９６年」が抽出されて検索キーワードとして設定されて、検索カテゴリ「発売年」且つ検索キーワード「１９９６年」について、前方一致検索が実行されて、検索結果（先に選曲した曲「あぁ」の発売年と同じ発売年「１９９６年」の曲）が表示される（図７Ｂ）。
【００３１】
尚、属性情報記憶部２７に記憶する曲の属性情報は、カラオケ装置１へのリモコン予約が終了した時点で、消去する構成としてもよいが、保存しておけば次の人が検索する際にも利用できて便利であり、消去のタイミングは使用形態により変更できるようにしておけばよい。
【００３２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００３３】
【発明の効果】
以上説明したように、この発明によれば、リクエスト曲を決定する際に、先の検索でピックアップした曲に関連する曲を優先的に、且つ、簡単に検索できて、ユーザの曲検索の手助けができるカラオケ用リモコン装置の制御プログラム、カラオケ用リモコン装置及びカラオケ用リモコン装置の制御方法を提供することができる。
【図面の簡単な説明】
【図１】この発明の実施の形態であるカラオケ用リモコン装置の外観図である。
【図２】この発明の実施の形態にかかるカラオケ用リモコン装置のブロック構成を示す説明図である。
【図３】この発明の実施の形態にかかるカラオケ用リモコン装置の動作フローチャートである。
【図４】この発明の実施の形態にかかるカラオケ用リモコン装置の検索操作画面の流れを示す説明図である。
【図５】この発明の実施の形態にかかるカラオケ用リモコン装置の関連曲（歌手同一）検索の流れを示す説明図である。
【図６】この発明の実施の形態にかかるカラオケ用リモコン装置の関連曲（ジャンル同一）検索の流れを示す説明図である。
【図７】この発明の実施の形態にかかるカラオケ用リモコン装置の関連曲（発売年同一）検索の流れを示す説明図である。
１００    カラオケ用リモコン装置
１１      「曲名」ボタン
１２      「歌手／ジャンル」ボタン
１３      「新譜／発売年」ボタン
１４      「リモコン」ボタン
１５      文字入力ボタン
１６      「決定」ボタン
１７      カーソル移動ボタン
１８      「戻る」ボタン
１９      「ＯＮ／ＯＦＦ」ボタン
２１      Ｋｅｙ  Ｉ／Ｆ部
２２      表示部
２３      記憶部
２３１    曲情報データベース
２４      処理部
２５      電源部
２６      リモコン送信部
２７      属性情報記憶部
１        カラオケ装置（カラオケコマンダ）
【図１】
2004177637.tif 000003
【図２】
2004177637.tif 000004
【図３】
2004177637.tif 000005
【図４】
2004177637.tif 000006
【図５】
2004177637.tif 000007
【図６】
2004177637.tif 000008
【図７】
2004177637.tif 000009